(57)【要約】【課題】保有フォント以外のフォントを、フォント変換テーブルを用いて保有フォントに変換して文書データから印刷データを作成する際、フォント変換テーブルに記載されていない未知のフォントの不適切な置き換えによる印刷文書の体裁の悪さを防ぐことを目的とする。【解決手段】構造化文書データ中のフォントがフォント変換テーブル６３上にない未知のフォントである場合、当該未知のフォントを、保有フォントのうち変換先となる頻度の高いフォントに変換する。【選択図】図９
2011198328.tif 000002
【特許請求の範囲】
【請求項１】
所定複数のフォントをインストール済みの保有フォントとして記憶する記憶手段と、
前記保有フォント以外の複数フォントが前記保有フォントのそれぞれの変換候補と対応付けて記憶されたフォント変換テーブルと、
文書データ中に前記保有フォント以外のフォントが含まれる場合に当該フォントを、前記フォント変換テーブルを用いて保有フォントに変換するフォント変換手段と、
前記フォント変換手段による変換結果に基づいて印刷データを作成する印刷データ作成手段と、を有する携帯端末において、
前記フォント変換手段は、前記文書データ中のフォントが前記フォント変換テーブル上にない未知のフォントである場合、当該未知のフォントを前記保有フォントのうち変換先となる頻度の高いフォントに変換すること、を特徴とする携帯端末。
【請求項２】
所定複数のフォントをインストール済みの保有フォントとして記憶する記憶手段と、
前記保有フォント以外の複数フォントが前記保有フォントのそれぞれの変換候補と対応付けて記憶されたフォント変換テーブルと、
文書データ中に前記保有フォント以外のフォントが含まれる場合に当該フォントを、前記フォント変換テーブルを用いて保有フォントに変換するフォント変換手段と、
前記フォント変換手段による変換結果に基づいて印刷データを作成する印刷データ作成手段と、を有する携帯端末において、
外部の情報処理装置と通信する通信手段と、
前記文書データ中に出現する頻度の高いフォントを特定するフォント特定手段と、  
前記フォント特定手段が特定したフォントを示す特定情報を前記情報処理装置に送信するよう前記通信手段を制御する通信制御手段と、
前記特定情報に対応するフォントを前記情報処理装置から受信して、新たな保有フォントとして前記記憶手段にインストールするインストール手段と、を備えることを特徴とする携帯端末。
【請求項３】
所定複数のフォントをインストール済みの保有フォントとして記憶する記憶手段と、
前記保有フォント以外の複数フォントが前記保有フォントのそれぞれの変換候補と対応付けて記憶されたフォント変換テーブルと、
文書データ中に前記保有フォント以外のフォントが含まれる場合に当該フォントを、前記フォント変換テーブルを用いて保有フォントに変換するフォント変換手段と、
前記フォント変換手段による変換結果に基づいて印刷データを作成する印刷データ作成手段と、を有する携帯端末において、
外部の情報処理装置と通信する通信手段と、    
前記文書データ中に出現する頻度の高いフォントを特定するフォント特定手段と、  
前記フォント特定手段が特定したフォントを示す特定情報を前記情報処理装置に送信するよう前記通信手段を制御する通信制御手段と、
前記特定情報に対応するフォントを前記情報処理装置から受信して、新たな保有フォントとして前記記憶手段にインストールするインストール手段と、を備え、
前記フォント変換手段は、前記文書データ中のフォントが前記フォント変換テーブル上にない未知のフォントである場合、当該未知のフォントを前記保有フォントのうち変換先となる頻度の高いフォントに変換すること、を特徴とする携帯端末。
【請求項４】
前記フォント変換手段は、前記保有フォントの各々について、前記フォント変換テーブル上に記憶されたフォントからの変換先となる回数を計数する計数手段と、
前記計数手段が計数した回数の多いフォントをデフォルトフォントとして設定する設定手段と、を有し、前記未知のフォントを前記デフォルトフォントに変換することを特徴とする請求項１又は請求項３に記載の携帯端末。
【請求項５】
前記フォント特定手段は、前記文書データにおいて使用するフォントを示すフォント情報の出現回数を、当該フォント情報に示される各フォントについて計数することによって、前記文書データ中に出現する頻度の高いフォントを特定し、
前記通信制御手段は、前記通信手段に、前記フォント特定手段が特定したフォントに係る前記フォント情報を前記特定情報として前記情報処理装置に送信させることを特徴とする請求項２又は請求項３に記載の携帯端末。
【請求項６】
所定複数のフォントを保有フォントとしてインストールすると共に、前記保有フォント以外の複数フォントが前記保有フォントの内のそれぞれの変換候補と対応付けて記憶されたフォント変換テーブルを有する携帯端末に、文書データ中における前記保有フォント以外のフォントがある場合に、前記フォント変換テーブルを用いて保有フォントに変換させる変換過程と、当該変換過程における変換結果に基づいて印刷データを作成する印刷データ作成過程と、を実行させるプログラムにおいて、
前記変換過程では、前記文書データ中のフォントが前記フォント変換テーブル上にない未知のフォントである場合に、当該未知のフォントを前記保有フォントのうち変換先となる頻度の高いフォントに変換させることを特徴とするプログラム。
【請求項７】
所定複数のフォントを保有フォントとしてインストールすると共に、前記保有フォント以外の複数フォントが前記保有フォントの内のそれぞれの変換候補と対応付けて記憶されたフォント変換テーブルを有する携帯端末に、文書データ中における前記保有フォント以外のフォントがある場合に、前記フォント変換テーブルを用いて保有フォントに変換させる変換過程と、当該変換過程における変換結果に基づいて印刷データを作成する印刷データ作成過程と、を実行させるプログラムにおいて、
前記携帯端末は外部の情報処理装置と通信可能であって、    
前記文書データ中に出現する頻度の高いフォントを特定するフォント特定過程と、  
前記フォント特定過程で特定されたフォントを示す特定情報を前記情報処理装置に送信する送信過程と、
前記フォント情報に対応するフォントを前記情報処理装置から受信する受信過程と、
前記受信過程で受信されたフォントを新たな保有フォントとしてインストールするインストール過程と、を携帯端末に実行させることを特徴とするプログラム。
【請求項８】
所定複数のフォントをインストール済みの保有フォントとして記憶する記憶手段と、
前記保有フォント以外の複数フォントが前記保有フォントのそれぞれの変換候補と対応付けて記憶されたフォント変換テーブルと、
文書データ中に前記保有フォント以外のフォントが含まれる場合に当該フォントを、前記フォント変換テーブルを用いて保有フォントに変換するフォント変換手段と、
前記フォント変換手段による変換結果に基づいて印刷データを作成する印刷データ作成手段と、を有する携帯端末と、前記携帯端末と通信可能な情報処理装置とを有する通信システムにおいて、
前記携帯端末は、
前記文書データ中に出現する頻度の高いフォントを特定するフォント特定手段と、  
前記フォント特定手段が特定したフォントを示す特定情報を前記情報処理装置に送信するよう前記通信手段を制御する通信制御手段と、を備え、
前記情報処理装置は、
前記特定情報を前記携帯端末から受信する受信手段と、
前記受信手段が受信した特定情報が示すフォントを、インストール済みのフォントから検索する検索手段と、
前記検索手段が検索したフォントを前記携帯端末に送信する送信手段と、を備え、
前記携帯端末は、前記送信手段が送信したフォントを受信して、新たな保有フォントとして前記記憶手段にインストールすることを特徴とする通信システム。
【発明の詳細な説明】
【技術分野】
【０００１】
本発明は、所定複数のフォントを保有フォントとして記憶する記憶手段と、保有フォントを使用して文書データから印刷データを作成する印刷データ作成手段とを備える携帯端末及び携帯端末に実行されるプログラムに関するものである。
【背景技術】
【０００２】
従来、所定複数のフォントを保有フォントとしてインストールすると共に保有フォント以外の複数フォントが保有フォントのそれぞれの変換候補と対応付けたフォント変換テーブルが記憶された文書処理装置において、文書データ中に保有フォント以外のフォントが含まれる場合に当該フォントを、フォント変換テーブルを用いて保有フォントに変換し、当該変換結果に基づいて文書データから印刷データを作成する文書処理が知られている。
【０００３】
例えば特許文献１の文書処理装置には、予めシステムに存在しない複数のフォント名と、当該フォント名をそれぞれの書体系列と対応付けて記憶した書体系列テーブルと、書体系列テーブル上の各書体系列と、異なるロケール間の代替すべき書体系列との関係を示す書体系列関連テーブルとが記憶されている。そして、文書中にシステムに存在しないフォントがある場合、まず書体系列テーブルを用いて当該フォントの書体系列を特定し、次に特定した書体系列についてシステムロケールに対応した書体系列を、書体系列関連テーブルを用いて特定することにより、当該フォントの代替フォントを決定し、当該代替フォントにより印刷を行う。
【先行技術文献】
【特許文献】
【０００４】
【特許文献１】特開２００６−１７２３６２号公報
【発明の概要】
【発明が解決しようとする課題】
【０００５】
ここで、特に携帯端末は、印刷データや表示データを作成するためにインストールしているフォントの数が少なく、文書データから印刷データを作成する際にはフォント変換テーブルを用いる頻度が高い。しかしながら、特許文献１のように、予めシステムに存在しない、すなわち未インストールのフォント名を記載したフォント変換用のテーブルを用いて代替フォントを選択するときには、当該テーブル上にフォント名のない未知のフォントが文書中に存在する場合の手当てをする必要がある。インストール済みのフォントのいずれかを文書中の未知フォントの変換先に予め決めておき、未知のフォントは常に当該フォントに変換することも考えられるが、それでは、例えば作成される印刷文書においてフォントが突然変わって体裁が悪くなりやすい。特に、印刷文書中に、それまでの記載に用いられていたフォントとは文字幅の異なるフォントがいきなり出現すると印刷文書のレイアウトが崩れてしまうこともある。
【０００６】
そこで、本発明は、上述した問題を解決するためになされたものであり、保有フォント以外のフォントを、フォント変換テーブルを用いて保有フォントに変換して文書データから印刷データを作成する際、フォント変換テーブルに記載されていない未知のフォントの不適切な置き換えによる印刷文書の体裁の悪さを防ぐことを目的とする。
【課題を解決するための手段】
【０００７】
前記目的を達成するため請求項１に係る携帯端末は、所定複数のフォントをインストール済みの保有フォントとして記憶する記憶手段と、前記保有フォント以外の複数フォントが前記保有フォントのそれぞれの変換候補と対応付けて記憶されたフォント変換テーブルと、文書データ中に前記保有フォント以外のフォントが含まれる場合に当該フォントを、前記フォント変換テーブルを用いて保有フォントに変換するフォント変換手段と、前記フォント変換手段による変換結果に基づいて印刷データを作成する印刷データ作成手段と、を有する携帯端末において、前記フォント変換手段は、前記文書データ中のフォントが前記フォント変換テーブル上にない未知のフォントである場合、当該未知のフォントを前記保有フォントのうち変換先となる頻度の高いフォントに変換すること、を特徴とする。
【０００８】
また、請求項２の携帯端末は、所定複数のフォントをインストール済みの保有フォントとして記憶する記憶手段と、前記保有フォント以外の複数フォントが前記保有フォントのそれぞれの変換候補と対応付けて記憶されたフォント変換テーブルと、文書データ中に前記保有フォント以外のフォントが含まれる場合に当該フォントを、前記フォント変換テーブルを用いて保有フォントに変換するフォント変換手段と、前記フォント変換手段による変換結果に基づいて印刷データを作成する印刷データ作成手段と、を有する携帯端末において、外部の情報処理装置と通信する通信手段と、前記文書データ中に出現する頻度の高いフォントを特定するフォント特定手段と、前記フォント特定手段が特定したフォントを示す特定情報を前記情報処理装置に送信するよう前記通信手段を制御する通信制御手段と、前記特定情報に対応するフォントを前記情報処理装置から受信して、新たな保有フォントとして前記記憶手段にインストールするインストール手段と、を備えることを特徴とする。
【０００９】
また、請求項３の携帯端末は、所定複数のフォントをインストール済みの保有フォントとして記憶する記憶手段と、前記保有フォント以外の複数フォントが前記保有フォントのそれぞれの変換候補と対応付けて記憶されたフォント変換テーブルと、文書データ中に前記保有フォント以外のフォントが含まれる場合に当該フォントを、前記フォント変換テーブルを用いて保有フォントに変換するフォント変換手段と、前記フォント変換手段による変換結果に基づいて印刷データを作成する印刷データ作成手段と、を有する携帯端末において、外部の情報処理装置と通信する通信手段と、前記文書データ中に出現する頻度の高いフォントを特定するフォント特定手段と、前記フォント特定手段が特定したフォントを示す特定情報を前記情報処理装置に送信するよう前記通信手段を制御する通信制御手段と、前記特定情報に対応するフォントを前記情報処理装置から受信して、新たな保有フォントとして前記記憶手段にインストールするインストール手段と、を備え、前記フォント変換手段は、前記文書データ中のフォントが前記フォント変換テーブル上にない未知のフォントである場合、当該未知のフォントを前記保有フォントのうち変換先となる頻度の高いフォントに変換すること、を特徴とする。
【００１０】
また、請求項４の携帯端末は、請求項１又は請求項３に記載の携帯端末において、前記フォント変換手段は、前記保有フォントの各々について、前記フォント変換テーブル上に記憶されたフォントからの変換先となる回数を計数する計数手段と、前記計数手段が計数した回数の多いフォントをデフォルトフォントとして設定する設定手段と、を有し、前記未知のフォントを前記デフォルトフォントに変換することを特徴とする。
【００１１】
また、請求項５の携帯端末は、請求項２又は請求項３に記載の携帯端末において、前記フォント特定手段は、前記文書データにおいて使用するフォントを示すフォント情報の出現回数を、当該フォント情報に示される各フォントについて計数することによって、前記文書データ中に出現する頻度の高いフォントを特定し、前記通信制御手段は、前記通信手段に、前記フォント特定手段が特定したフォントに係る前記フォント情報を前記特定情報として前記情報処理装置に送信させることを特徴とする。
【００１２】
また、請求項６のプログラムは、所定複数のフォントを保有フォントとしてインストールすると共に、前記保有フォント以外の複数フォントが前記保有フォントの内のそれぞれの変換候補と対応付けて記憶されたフォント変換テーブルを有する携帯端末に、文書データ中における前記保有フォント以外のフォントがある場合に、前記フォント変換テーブルを用いて保有フォントに変換させる変換過程と、当該変換過程における変換結果に基づいて印刷データを作成する印刷データ作成過程と、を実行させるプログラムにおいて、前記変換過程では、前記文書データ中のフォントが前記フォント変換テーブル上にない未知のフォントである場合に、当該未知のフォントを前記保有フォントのうち変換先となる頻度の高いフォントに変換させることを特徴とする。
【００１３】
また、請求項７のプログラムは、所定複数のフォントを保有フォントとしてインストールすると共に、前記保有フォント以外の複数フォントが前記保有フォントの内のそれぞれの変換候補と対応付けて記憶されたフォント変換テーブルを有する携帯端末に、文書データ中における前記保有フォント以外のフォントがある場合に、前記フォント変換テーブルを用いて保有フォントに変換させる変換過程と、当該変換過程における変換結果に基づいて印刷データを作成する印刷データ作成過程と、を実行させるプログラムにおいて、前記携帯端末は外部の情報処理装置と通信可能であって、前記文書データ中に出現する頻度の高いフォントを特定するフォント特定過程と、前記フォント特定過程で特定されたフォントを示す特定情報を前記情報処理装置に送信する送信過程と、前記フォント情報に対応するフォントを前記情報処理装置から受信する受信過程と、前記受信過程で受信されたフォントを新たな保有フォントとしてインストールするインストール過程と、を携帯端末に実行させることを特徴とする。
【００１４】
また、請求項８の通信システムは、所定複数のフォントをインストール済みの保有フォントとして記憶する記憶手段と、前記保有フォント以外の複数フォントが前記保有フォントのそれぞれの変換候補と対応付けて記憶されたフォント変換テーブルと、文書データ中に前記保有フォント以外のフォントが含まれる場合に当該フォントを、前記フォント変換テーブルを用いて保有フォントに変換するフォント変換手段と、前記フォント変換手段による変換結果に基づいて印刷データを作成する印刷データ作成手段と、を有する携帯端末と、前記携帯端末と通信可能な情報処理装置とを有する通信システムにおいて、前記携帯端末は、前記文書データ中に出現する頻度の高いフォントを特定するフォント特定手段と、前記フォント特定手段が特定したフォントを示す特定情報を前記情報処理装置に送信するよう前記通信手段を制御する通信制御手段と、を備え、前記情報処理装置は、前記特定情報を前記携帯端末から受信する受信手段と、前記受信手段が受信した特定情報が示すフォントを、インストール済みのフォントから検索する検索手段と、前記検索手段が検索したフォントを前記携帯端末に送信する送信手段と、を備え、前記携帯端末は、前記送信手段が送信したフォントを受信して、新たな保有フォントとして前記記憶手段にインストールすることを特徴とする。
【発明の効果】
【００１５】
請求項１の携帯端末及び請求項６のプログラムでは、文書データに保有フォント以外のフォントが含まれる場合、フォント変換テーブルを用いて保有フォントに変換され、当該変換結果に基づいて当該文書データから印刷データが作成される。そして文書データ中のフォントがフォント変換テーブル上にない未知のフォントである場合、当該未知のフォントは保有フォントのうち変換先となる頻度の高いフォントに変換される。ここで上述のように携帯端末では保有フォントが少ないため、文書データから印刷データが作成される際にフォントが変換されることが多く、文書データ中、未知フォントで記載された部分の前後の記載も、保有フォント以外のフォントから保有フォントへ置き換えられる可能性が高い。よって請求項１の携帯端末では、ある未知のフォントが保有フォントのうち変換先となる頻度の高いフォントに変換されることにより、文書データから作成された印刷データにおいて、当該未知のフォントで記載された部分をその前後の記載と同じフォントに統一されやすく、未知のフォントの不適切な置き換えによる印刷文書の体裁の悪さを防ぐことができる。
【００１６】
また請求項２の携帯端末及び請求項７のプログラムでは、携帯端末が外部の情報処理装置と通信可能であって、文書データ中に出現する頻度の高いフォントが特定され、特定されたフォントを示す特定情報が情報処理装置に送信される。そして特定情報に対応するフォントが情報処理装置から受信され、新たな保有フォントとして携帯端末にインストールされる。よってフォント変換テーブルに記載されていない未知のフォントが多く文書データ中に出現した場合に、情報処理装置と通信することにより当該フォントをインストールして新たな保有フォントとできるから、未知のフォントが文書データ中に多く出現した場合に、当該フォントを印刷することができるようになり、当該未知のフォントの変換自体が不要となって、未知のフォントの不適切な置き換えによる印刷文書の体裁の悪さを防ぐことができる。
また、携帯端末において、そのユーザの使用形態に合わせて印刷したり表示したりできるフォントが徐々に増えていくから、携帯端末がユーザにとって益々使い勝手の良いものになるという利点もある。
【００１７】
また、請求項３の携帯端末は、フォント変換テーブルに記載されていない未知のフォントが多く文書データ中に出現した場合に、情報処理装置と通信することにより当該フォントをインストールして新たな保有フォントとできるから、未知のフォントが文書データ中に多く出現した場合に、文書データ中と同じフォントで印刷することができ、当該未知のフォントの変換自体が不要となる。また、請求項３の携帯端末は、未知のフォントを保有フォントのうち変換先となる頻度の高いフォントに変換することにより、当該未知のフォントで記載された部分をその前後の記載と同じフォントに置き換えられやすくなる。以上より、請求項３の携帯端末では、未知のフォントの不適切な置き換えによる印刷文書の体裁の悪さを更に効果的に防ぐことができる。
また、請求項３の携帯端末は、フォント変換テーブルに記載されていない未知のフォントが多く文書データ中に出現した場合に、情報処理装置と通信することにより当該フォントをインストールして新たな保有フォントとできるから、そのユーザの使用形態に合わせてフォントが印刷したり表示したりできるフォントが徐々に増えていくから、携帯端末がユーザにとって益々使い勝手の良いものになるという利点もある。
【００１８】
また請求項４の携帯端末では、フォント変換テーブル上に記憶されたフォントからの変換先となる回数が多いフォントがデフォルトフォントに設定され、未知のフォントはデフォルトフォントに変換される。ここで、携帯端末における印刷データの作成は、請求書等の特定の用途に使用されやすいので、基となる文書データにおいて頻出しやすいフォントを予め特定しうる。よって、文書データにおいて頻出しやすいが携帯端末にはまだインストールされていないフォントについてフォント変換テーブル上に望ましい変換候補を予め記憶しておけば、文書データ中の未知のフォントも当該変換候補に変換することができる。すると、文書データから作成された印刷データにおいて、当該未知のフォントで記載された部分が更に確実にその前後の記載と同じフォントに統一されやすく、未知のフォントの未知のフォントからの不適切な置き換えによる印刷文書の体裁の悪さを更に確実に防ぐことが出来る。
【００１９】
また請求項５の携帯端末は、フォント特定手段は、文書データにおいて使用するフォントを示すフォント情報の出現回数が、当該フォント情報に示される各フォントについて計数されることによって、文書データ中に出現する頻度の高いフォントを特定される。よって出現頻度が高いフォントが未知のフォントであっても、確実に特定できる。そして、通信制御手段により、その特定したフォントに係るフォント情報が情報処理装置に送信されるから、出現頻度の高いフォントが未知のフォントであっても当該フォントを特定する情報を容易に情報処理装置に送ることができる。
【００２０】
また請求項８の通信システムでは、携帯端末において、文書データ中に出現する頻度の高いフォントが特定され、特定されたフォントを示す特定情報を情報処理装置に送信される。そして情報処理装置では、特定情報が示すフォントがインストール済みのフォントから検索され、検索されたフォントを携帯端末に送信する。携帯端末では新たな保有フォントとしてインストールする。よって携帯端末において、フォント変換テーブルに記載されていない未知のフォントを多く含む文書データから印刷データが作成される際に、携帯端末が情報処理装置と通信することにより当該未知のフォントが携帯端末にインストールされて新たな保有フォントとなるから、未知のフォントが文書データ中に多く含まれる場合に当該フォントを印刷することができるようになり当該未知のフォントの変換自体が不要となって、未知のフォントの不適切な置き換えによる印刷文書の体裁の悪さを防ぐことができる。
また、携帯端末において、そのユーザの使用形態に合わせてフォントが印刷したり表示したりできるフォントが徐々に増えていくから、携帯端末がユーザにとって益々使い勝手の良いものになるという利点もある。
【図面の簡単な説明】
【００２１】
【図１】本実施形態に係る通信システム及び携帯端末の概略構成を示す説明図である。
【図２】本実施形態に係る携帯端末の制御構成を示すブロック図である。
【図３】情報処理装置の制御構成を示すブロック図である。
【図４】構造化文書のフォント情報を示す説明図である。
【図５】本実施形態のフォント変換テーブルである。
【図６】構造化文書から印刷する過程を示すフローチャートである。
【図７】表示画面上で印刷対象となるファイルを選択する様子を示す説明図である。
【図８】表示画面上で印刷指示を行う説明図である。
【図９】本実施形態の構造化文書の解析処理を示すフローチャートである。
【図１０】図９のフローチャートの続きである。
【図１１】本実施形態のフォントインストール処理を示す説明図である。
【発明を実施するための形態】
【００２２】
以下、本発明に係る携帯端末、プログラム及び通信システムについて、具体化した一実施形態に基づいて図面を参照しつつ詳細に説明する。
【００２３】
本実施形態に係る携帯端末及び通信システムについて、図１及び図２に基づき説明する。図１に示すように、本実施形態の通信システム２は、携帯端末１と、携帯端末１と通信可能な情報処理装置５を有する。
本実施形態の携帯端末１は、インターネット接続機能を有する通信装置５７、文字入力キーやカーソルキー等により入力操作を行う操作部６１、受信した画像等のほか操作部６１にて入力した文字等が表示される液晶画面６０、赤外線通信により外部装置と通信する赤外線通信部６２を備えている。携帯端末１は、赤外線通信部６２或いは不図示のＵＳＢケーブル等を通じて、情報処理装置５と接続するほか、不図示のプリンタと接続して印刷データ等を送信する。
【００２４】
図２は携帯端末１のブロック図である。図２のように携帯端末１は図１に示す操作部６１、液晶表示６０のほか、通信装置５７や赤外線通信部６２からなる通信部６６、制御部６５及び記憶部６４を有する。
記憶部６４は揮発性メモリや不揮発性メモリからなり、各種制御プログラムや各種初期値等のほか、ユーザがインターネットを通じてダウンロードする等して入手したＰＤＦ、ＸＭＬ、ＨＴＭＬ、ＲＴＦ等の構造化文書データも記憶している。また、各種制御プログラムにはＰＤＦ、ＸＭＬ、ＨＴＭＬ、ＲＴＦ等、構造化文書データから印刷データを作成するための後述する「文書コンバータ」というアプリケーションプログラム８３も記憶されている。
また、記憶部６４には、複数のフォントのそれぞれを収容したフォントファイルを全て格納して一括して管理するフォントフォルダ６７が記憶されている。ここでフォントファイルに収容されるフォントとは、各フォントにそれぞれ対応する書体によって文字を印刷及び表示するために必要な情報を言う。そして、各フォントはフォントフォルダ６７に管理されることにより、印刷データ作成や表示データの作成に使用可能な状態、すなわちインストール済みの状態となっている。なお、以下ではフォントフォルダ６７内に記憶されたフォントを保有フォントと言う。
【００２５】
また、記憶部６４には後述するフォント変換テーブル６３やフォントインストールフラグ６２も格納されている。図２のようにフォントインストールフラグ６２はフォントインストールフラグ６２Ａ、フォントインストールフラグ６２Ｂ・・・と複数が記憶されている。  
また記憶部６４には後述する各保有フォントの変換先となる回数を記憶する変換カウンタ８０、フォント情報１００に示されるフォント毎にフォント情報１００（図４参照）の出現回数をカウントする出現カウンタ８１を含むカウンタ領域を有する。
【００２６】
また制御部６５は、記憶部６４に記憶された種々のプログラムに基づいて、携帯端末１全体を統括制御するものであって、後述する印刷データの作成のための制御を行うほか、通信部６６を介してプリンタ（不図示）や情報処理装置５と通信し、通信部６６に作成した印刷データ及び印刷指令を不図示のプリンタに送信させる。
【００２７】
また、情報処理装置５は図３のブロック図のように、装置全体を統括制御する処理制御部７２、各種データやプログラムを記憶する記憶部７３、液晶等のディスプレイ７６、不図示のＵＳＢケーブル等により接続した携帯端末１と通信可能な通信部７１、ユーザの入力を受け付けるための各種キーからなる操作部７５を備えている。
記憶部７３には、複数のフォントをそれぞれ収容した各フォントファイルを一括で管理して使用可能な状態としたフォントフォルダ７４が記憶されている。また、後述のようにフォントフォルダ７４から特定のフォルダを検出して通信部７１に送信させるアプリケーションプログラムも記憶されている。情報処理装置５のフォントフォルダ７４には、携帯端末１のフォントフォルダ６７よりも多数のフォントが含まれている。すなわち、情報処理装置５では携帯端末１よりも多数のフォントがインストールされている。
【００２８】
次に図４に基づいて本実施形態のフォント情報１００について説明する。
図４のように、例えば、ＨＴＭＬ文書等、構造化文書データにおいて「<font face="恋文ペン字">恋文ペン字</font><br>」との記載がある。ここで、本実施形態では構造化文書データにおける「<font face="  ">」という記載がフォントを示すフォント情報１００となっている。このような「<font face="  ">」という記載は、構造化文書データのところどころに出現して、「<font face="  ">」の後に記載された文字をどのフォントで表示或いは印刷するかを示すのである。よって、仮に恋文ペン字フォントがインストールされている情報処理装置でこのＨＴＭＬ文書が読み込まれ、印刷されると右の結果欄に示すように「恋文ペン字」が恋文ペン字フォントで印刷されることとなる。以下、ふみゴシックフォント、Times new Roman フォント、Impactフォント、Amazeフォントも図４の結果欄に示すとおりである。
【００２９】
しかしながら、本実施形態の携帯端末１では保有フォントが限られており、フォント情報１００が示すフォントがインストールされていない場合が多い。よって、後述のように、本実施形態で印刷データを作成する際には、「<font face="  "・・・>」という記載が出現する度に、フォントを変換するかしないか判断する。すなわち、このフォント情報１００の「"  "」に示されるフォントが保有フォントの一つである場合は「・・・」という部分を当該保有フォントとして印刷データを作成する。一方、フォント情報１００の「"  "」に示されるフォントが保有フォントでない場合は、フォント変換テーブル６３を用いて変換先を特定し、「・・・」という部分を変換先の保有フォントとして印刷データを作成する。
なお本発明のフォント情報１００は当該記載と全く同じ記載に限られるものではなく、ＰＤＦなど別の構造化文書データ等において同様にフォントを示す情報を指すものも含む。
【００３０】
次に、図５に基づいて携帯端末１の記憶部６４に記憶されフォント変換テーブル６３について説明する。本実施形態のフォント変換テーブル６３は構造化文書データから印刷データを作成する際に用いられ、「Alpha Geometrique」、「Critter」、「Cottonwood」、「FB Reactor」、「Studz」、「Courier」、「MS Courier New」、「Prestige」、「Everson Mono」・・・といった記憶部６４にインストールされていないフォントのフォント名がsourcefont１０２（以下ソースフォント１０２と記載）として記憶されている。また各ソースフォント１０２には、各ソースフォント１０２が構造化文書データ中のフォント情報１００に示された際に、印刷データにおいて当該ソースフォント１０２から置き換えられる保有フォント候補であるreplacementfont１０３（以下リプレイスメントフォント１０３と記載）が対応付けられて記憶されている。
例えば、「Alpha Geometrique」というソースフォント１０２に対しては、リプレイスメントフォント１０３として「tahoma」が記憶されている。
【００３１】
またフォント変換テーブル６３は、構造化文書データ中のフォント情報１００がソースフォント１０２としてフォント名がフォント変換テーブル６３に記憶されたフォント以外の未知のフォントを示す場合に、印刷データにおける変換先となる保有フォントをdefaultfont１０１(以下デフォルトフォント１０１と記載）として予め設定しておく。図５のフォント変換テーブル６３ではデフォルトフォント１０１は「tahoma」となっている。
なお、図５では変換候補として保有フォントが「Courier New」を加え２つが記載されているが、本実施形態の携帯端末１の保有フォントはこの数に限定されない。
【００３２】
図６のフローチャートでは、上記の携帯端末１において構造化文書データから印刷データを作成して印刷するまでのメーン処理を示す。なお、以下図６乃至図１１で示す処理は、上述した「文書コンバータ」というアプリケーションプログラム８３（以下プログラム８３とする）が制御部６５により実行されることにより実現されるものである。なお、プログラム８３の起動時点において上述した複数のフォントインストールフラグ６２はいずれも「ＯＦＦ」に設定されて記憶されている。
【００３３】
ユーザの指示により上記の「文書コンバータ」が起動すると、まずＳ１において図７のようにディスプレイ６０上に記憶部６４に記憶された構造化文書データ一覧が示され、ユーザは、画面表示を介してどの文書データを印刷するかを選択する。
印刷対象の文書データが選択されると、続くＳ２においてＳ１で選択された文書データは制御部６５により読み込まれて内容が解析される。続くＳ３ではＳ２で読み込まれた文書データに対応する印刷データが作成される。この際、ユーザが印刷プレビュー表示を指示すると、図８のように、印刷画像がディスプレイ６０上に表示される。そしてＳ４では、Ｓ３で作成された印刷データが印刷指令と共に通信部６６を介して不図示のプリンタに送信されて印刷されるのである。
【００３４】
次に、図９乃至図１１に基づいてＳ２の構造化解析処理について詳述する。
図９のように、Ｓ１１で構造化文書データが読み込まれ、Ｓ１２でその文書データ中に上述したフォント情報１００が一つ検出されると、Ｓ１３に進む。Ｓ１３ではフォント情報１００で示されるフォントが携帯端末１にインストール済みの保有フォントか否かが判断される。保有フォントである場合（Ｓ１３：ＹＥＳ）、Ｓ２５に進む（図１０参照）。一方、保有フォントでない場合（Ｓ１３：ＮＯ）、Ｓ１４に進む。Ｓ１４では文書データ中のフォント情報１００に示されるフォントについて、記憶部６４の出現カウンタ８１が一つ加算されて記憶される。
【００３５】
ここで出現カウンタ８１について詳述する。この出現カウンタ８１は記憶部６４のカウンタエリアに、既知のフォント（フォント変換テーブル６３上にフォント名が記憶されたフォント）について各フォントを示すフォント情報１００の出現回数を計数するそれぞれのカウンタの集合として記憶されているだけでなく、未知のフォントを示すフォント情報１００の出現回数をフォント毎に計数するための領域が設けられている。
よって、Ｓ１４において既知のフォントを示すフォント情報１００の出現回数をカウントする場合は、出現カウンタ８１において、フォント情報１００が示すフォントに係るカウンタが検索され当該カウンタに１が加算される。
また、Ｓ１４において出現カウンタ８１においてフォント情報１００が示すカウンタを検索しても見つからない場合は、未知のフォントを計数するための領域の一部を、フォント情報１００が示すフォントの計数するために割り当てて、新たなカウンタとして「１」を記憶する。
【００３６】
続いて、Ｓ１５に進み、記憶部６４のフォント変換テーブル６３を読み出し、フォント変換テーブル６３上のソースフォント１０２としてフォント名が記憶されたフォントのうち、フォント情報１００が示すフォントと一致するものがあるか検索する。
そしてＳ１６でフォント変換テーブル６３にフォント情報１００と一致するフォント名がない場合（Ｓ１６：ＮＯ）、すなわちフォント情報１００が未知のフォントを示す場合には、Ｓ２１に進み、フォント情報１００の示すフォントを、印刷データではデフォルトフォント１０３に置き換える。
例えば、Ｓ２１においてフォント変換テーブル６３のデフォルトフォントに「tahoma」が記憶されていた場合、フォント情報１００の示すフォントを「tahoma」に置き換える。
【００３７】
一方、フォント変換テーブル６３上にソースフォント１０２としてフォント名が記憶されたフォントのうち、フォント情報１００と一致するものがある場合（Ｓ１６：ＹＥＳ）、Ｓ１７に進み、フォント情報１００が示すフォントを、フォント変換テーブル６３において当該一致するフォントに対応するリプレイスメントフォント１０３に置き換える。
図５のように、例えばフォント情報１００の示すフォントが、フォント変換テーブル上のソースフォント１０２「Everson Mono」と一致する場合は、「Everson Mono」のリプレイスメントフォント１０３である「Courier New」が選択される。  
【００３８】
次にＳ１８に進み、記憶部６４の変換カウンタ８０を読み出し、各保有フォントのうち、Ｓ１７で変換先となったリプレイスメントフォント１０３の変換回数に一を加算して記憶しなおす。
例えばＳ１７で「Courier New」が変換先となった場合は、変換カウンタ８０における「Courier New」の変換回数に１を加算して記憶しなおす。
【００３９】
続いてＳ１９に進み、変換カウンタ８０が読み出され、保有フォントのいずれかの変換回数が所定の敷居値を超えたか否かが判断される。
保有フォントのいずれの変換回数も敷居値を超えていない場合（Ｓ１９：ＮＯ）、Ｓ２２に進む。一方、保有フォントの変換回数のいずれかが敷居値を超えた場合（Ｓ１９：ＹＥＳ）、Ｓ２０に進む。
【００４０】
Ｓ２０では、記憶部６４のフォント変換テーブル６３を読み出し、フォント変換テーブル６３上に記憶されたデフォルトフォントを、Ｓ１９で変換回数が敷居値を超えていた保有フォントのうち最も変換回数の多い保有フォントに変更して記憶しなおす。
例えば、「Century」が最も変換回数が多い保有フォントである場合、デフォルトフォントが元の「tahoma」から「Century」に変更される。
【００４１】
図１０のように、続いてＳ２２において、記憶部６４の出現カウンタ８１が読み出され、いずれかのフォントについてフォント情報１００の出現回数を計数するカウンタが所定の閾値を超えたか否かが計数される。いずれのカウンタも所定の閾値を超えていない場合（Ｓ２２：ＮＯ）、Ｓ２５に進む。
一方、Ｓ２２でいずれかのカウンタが所定の閾値を超えている場合（Ｓ２３：ＹＥＳ）、Ｓ２３に進む。
【００４２】
Ｓ２３では、ディスプレイ６０に、閾値を超えたフォントに係るフォント情報１００に示されたフォントの名称と、当該フォントをインストールするかを問う旨の通知が「ＹＥＳ」、「ＮＯ」ボタンと共に表示される。
ＮＯボタンがクリックされた場合（Ｓ２３：ＮＯ）はそのままＳ２５に進む。一方、ＹＥＳボタンがクリックされた場合（Ｓ２３：ＹＥＳ）、Ｓ２４に進み、記憶部６４に記憶されたフォントインストールフラグ６２が読み出し、「ＯＮ」に設定して記憶し直し、Ｓ２５に進む。
【００４３】
上述のように、記憶部６４において、フォントインストールフラグ６２は複数記憶されている。そしてＳ２３において、複数のフォントが閾値を超えている場合は各フォントについて、インストールを問う通知や「ＹＥＳ」「ＮＯ」の選択が行われる。そしてＳ２４ではそれら複数のフォントについて、それぞれ異なるフォントインストールフラグ６２が割り当てられてそれぞれ「ＯＮ」に設定される。例えばＳ２２で「ＭＳゴシック」と「ＭＳ明朝」のいずれについても、フォント情報１００の出現回数が閾値を超え、Ｓ２３で両方のフォントについてインストール「ＹＥＳ」が選択された場合は、Ｓ２４では「ＭＳゴシック」についてフォントインストールフラグ６２Ａが割り当てられて「ＯＮ」に設定され、「ＭＳ明朝」についてフォントインストールフラグ６２Ｂが割り当てられ「ＯＮ」に設定される。  
【００４４】
なお、Ｓ２５でフォントインストールフラグ６２を割り当てるのは、未だフォントインストールフラグ６２の割り当てられていないフォントのみであって、既にフォントインストールフラグ６２が割り当てられて「ＯＮ」となっているフォントには、他のフォントインストールフラグ６２を割り当てない。これは、あるフォントにフォントインストールフラグ６２が割り当てられて「ＯＮ」に設定された後に、後述のＳ２５でＰＣと接続せずに（Ｓ２５：ＮＯ）再びＳ１１以降の処理が繰り返され、Ｓ２２で再び当該フォントの出現回数が閾値を超えたと判断されるということが起こりうるためである。
【００４５】
そしてＳ２５では、携帯端末１が情報処理装置５と接続されているか否かが判断される。この接続は、ＵＳＢケーブルによるものであってもよいし、赤外線通信等によってもよい。
接続されていない場合（Ｓ２５：ＮＯ）はＳ３１に進む。
【００４６】
一方、情報処理装置５と接続していると判断された場合（Ｓ２６：ＹＥＳ）、Ｓ２６に進む。Ｓ２６では、記憶部６４に記憶された複数のフォントインストールフラグ２６が読み出され、「ＯＮ」に設定されたものがあるかが判断される。
全てのインストールフラグ６２が「ＯＦＦ」に設定されていた場合はＳ３１に進む。
一方、いずれかが「ＯＮ」に設定されていた場合（Ｓ２６：ＹＥＳ）、Ｓ２７のフォントインストール処理に進む。
【００４７】
図１１のように、フォントインストール処理では、まずＳ４１において、Ｓ２６でフォントインストールフラグ６２が「ＯＮ」に設定されるフォントに係るフォント情報１００を、不図示のＵＳＢケーブルや赤外線通信を介して情報処理装置５に送信する。上述したように、例えば「ＭＳゴシック」のフォントに割り当てられたフォントインストールフラグ６２がＯＮである場合は、構造化文書データに含まれる「<font face="ＭＳゴシック">」というフォント情報１００を情報処理装置５に送信するのである。
次に、Ｓ４２では情報処理装置５のアプリケーションプログラムが制御部７２に実行されて、記憶部７３のフォントフォルダ７４から、携帯端末５から送信されたフォント情報１００が示すフォントと一致するフォントを収容するフォントファイルが検索される。Ｓ４２では検索により、フォントフォルダ７４に当該フォントファイルがあるか否かが検索される。該当するフォントファイルがない場合（Ｓ４３：ＮＯ）、フォントインストール処理を終了し、図１０のＳ２８に進む。
【００４８】
一方、Ｓ４３でフォントフォルダ７４において携帯端末１から送信されたフォント情報１００と一致するフォントを含むフォントファイルが検索された場合（Ｓ４３：ＹＥＳ）、Ｓ４４に進み、情報処理装置５の制御部７２は通信部７１を介して、当該フォントファイルを携帯端末１に送信する。
続くＳ４５では、携帯端末１の制御部６５により不図示のＵＳＢケーブル等を介して受信したフォントファイルを記憶部６４のフォントフォルダ６７内に記憶して、情報処理装置５から受信したフォントをインストールしフォントインストール処理を終了して図１０のＳ２８に進む。
【００４９】
Ｓ２８では、フォントインストールが成功したか否かを判断する。このフォントインストールの成功判断は、Ｓ４５でインストールしたフォントと、Ｓ４１で送信したフォント情報１００が一致するか等により行う。
そして、成功と判断した場合（Ｓ２８：ＹＥＳ）はＳ２９においてディスプレイ６０においてインストールしたフォントと、インストールが成功した旨を表示してＳ３０に進み、インストールしたフォントに割り当てられていたフォントインストールフラグ６２を記憶部６４から読み出して「ＯＦＦ」に設定し直し、Ｓ３１に進む。一方、失敗と判断した場合（Ｓ２８：ＮＯ）は、ディスプレイ６０においてフォント情報を送信したフォントと、インストールが失敗した旨を表示した後にＳ３１に進む。
【００５０】
なお、ここで、インストールしたものがフォント変換テーブル６３上に記憶された既知のフォントだった場合は、フォント変換テーブル６３を読み出して当該フォント名と対応するリプレイスメントフォント１０３を削除して記憶し直してもよい。  
【００５１】
そしてＳ３２では、構造化文書データの解析処理が終了したか否かが判断され、終了した場合（Ｓ３２：ＹＥＳ）、図６のＳ３に進む。一方、終了していない場合（Ｓ３２：ＮＯ）、Ｓ１２以降の処理を繰り返す。
【００５２】
ここで、本実施形態の構造化解析処理で解析した構造化文書データは請求項の文書データの一例である。リプレイスメントフォント１０３は請求項の変換候補の一例である。
また、制御部６５は印刷データ作成手段、フォント変換手段、フォント特定手段、通信制御手段、インストール手段、設定手段の一例である。変換カウンタ８０及び制御部６５は計数手段の一例である。また記憶部６４は記憶手段、通信部６６は通信手段の一例である。またフォント情報１００は特定情報の一例である。  
また情報処理装置５の通信部７１は受信手段及び送信手段の一例であり、制御部７２は検索手段の一例である。
【００５３】
以上詳細に説明した通り、本実施形態に係る携帯端末１及びプログラム８３では、構造化文書データに保有フォント以外のフォントが含まれる場合、フォント変換テーブル６３を用いて保有フォントに変換され、当該変換結果に基づいて構造化文書から印刷データが作成される。そして構造化文書データ中のフォントがフォント変換テーブル６３上にない未知のフォントである場合、当該未知のフォントは保有フォントのうち変換先となる頻度の高いフォントに変換される。
ここで上述のように携帯端末１では保有フォントが少ないため、構造化文書から印刷データを作成する際にフォントが変換されることが多く、構造化文書中、未知のフォントで記載された部分の前後の記載も、保有フォント以外のフォントから保有フォントへ置き換えられる可能性が高い。よって携帯端末１ではある未知のフォントが保有フォントのうち変換先となる頻度の高いフォントに変換されることにより、構造化文書データから作成された印刷データにおいて、当該未知のフォントで記載されていた部分をその前後の部分と同じフォントで統一しやすく、未知のフォントの不適切な置き換えによる印刷文書の体裁の悪さを防ぐことができる。
【００５４】
また携帯端末１及びプログラム８３では、携帯端末１が外部の情報処理装置５と通信可能であって、構造化文書データ中に出現する頻度の高いフォントが特定され、特定されたフォントを示すフォント情報１００が情報処理装置５に送信される。そしてフォント情報１００に対応するフォントが情報処理装置５から受信され、新たな保有フォントとして記憶部６４にインストールされる。よってフォント変換テーブル６３に記載されていない未知のフォントが多く構造化文書データ中に出現した場合に、携帯端末１が情報処理装置５と通信することにより当該フォントがインストールされ新たな保有フォントとなるから、未知のフォントが構造化文書中に多く出現した場合に、当該フォントを印刷することができるようになり、当該未知のフォントの変換自体が不要となって未知のフォントの不適切な置き換えによる印刷文書の体裁の悪さを防ぐことができる。
また、携帯端末１において、そのユーザの使用形態に合わせてフォントが印刷したり表示したりできるフォントが徐々に増えていくから、携帯端末がユーザにとって益々使い勝手の良いものになるという利点もある。
【００５５】
また本実施形態の携帯端末１及びプログラム８３では、フォント変換テーブル６３上に記憶されたフォントからの変換先となる回数が多いフォントがデフォルトフォントに設定され、未知のフォントはデフォルトフォントに変換される。よって、構造化文書データにおいて頻出しやすいが携帯端末１にはまだインストールされていないフォントについてフォント変換テーブル６３に望ましいリプレイスメントフォント１０３を記載することにより、構造化文書データ中の未知のフォントも当該リプレイスメントフォント１０３に変換することができる。すると、構造化文書データから作成された印刷データにおいて、当該未知のフォントで記載された部分が更に確実にその前後の記載と同じフォントに統一されやすく、未知のフォントからの不適切な置き換えによる印刷文書の体裁の悪さを更に確実に防ぐことが出来る。
【００５６】
また携帯端末１及びプログラム８３では、構造化文書データにおいて使用するフォントを示すフォント情報１００の出現回数が、当該フォント情報１００に示される各フォントについて計数されることによって、構造化文書データ中に出現する頻度の高いフォントが特定される。よって出現頻度が高いフォントが未知のフォントであっても、確実に特定できる。そして携帯端末１では特定したフォントに係るフォント情報１００が情報処理装置５に送信されるから、出現頻度の高いフォントが未知のフォントであっても当該フォントを特定する情報を容易に情報処理装置５に送ることができる。
【００５７】
また本実施形態の通信システムでは、携帯端末１において、構造化文書中に出現する頻度の高いフォントが特定され、特定されたフォントを示すフォント情報１００が情報処理装置５に送信される。そして情報処理装置５では、フォント情報１００が示すフォントがインストール済みのフォントから検索され、検索されたフォントが携帯端末１に送信される。携帯端末１では送信されたフォントが新たな保有フォントとしてインストールされる。よって携帯端末１において、フォント変換テーブル６３に記載されていない未知のフォントを多く含む構造化文書データから印刷データが作成される際に、携帯端末１が情報処理装置５と通信することにより当該未知のフォントが携帯端末１にインストールされて新たな保有フォントとなるから、未知のフォントが構造化文書に多く含まれる場合に当該フォントを印刷することができるようになり、当該未知のフォントの変換自体が不要となって未知のフォントの不適切な置き換えによる印刷文書の体裁の悪さを防ぐことができる。
また、携帯端末１において、そのユーザの使用形態に合わせてフォントが印刷したり表示したりできるフォントが徐々に増えていくから、携帯端末がユーザにとって益々使い勝手の良いものになるという利点もある。
【００５８】
尚、本発明は前記実施形態に限定されることはなく、本発明の要旨を逸脱しない範囲内で種々の改良、変形が可能であることは勿論である。例えば、本実施形態では、未知のフォントを、変換先となる頻度の高い保有フォントに変換する処理（Ｓ１８〜Ｓ２０、Ｓ２１）と、情報処理装置５から構造化文書中に出現頻度の高いフォントを受信してインストールする処理（Ｓ１４、Ｓ２２〜Ｓ３０）との両方を行っている。しかし、片方のみを行うのでも本発明の課題を解決することが可能である。
また本実施形態では、未知のフォントの変換先を、フォント変換テーブル上に記載されたフォントからの変換先となる頻度の高い保有フォントとしたが、未知のフォントも含めた保有フォント以外のフォント全てからの変換先となる頻度の最も高い保有フォントを未知のフォントの変換先とするのでも構わない。その場合も、未知のフォントの出現頻度が低い場合は、未知のフォントの変換先を、フォント変換テーブル上に記載されたフォントからの変換先となる頻度の高い保有フォントとするのとそれほど効果は変わらないからである。
【符号の説明】
【００５９】
１      携帯端末
５      情報処理装置
６２    フォントインストールフラグ
６３    フォント変換テーブル
６４    記憶部
６５    制御部
６６    通信部
６７    フォントフォルダ
７１    通信部
７２    制御部
７３    記憶部
７４    フォントテーブル
８０    変換カウンタ
８１    出現カウンタ
【図１】
2011198328.tif 000003
【図２】
2011198328.tif 000004
【図３】
2011198328.tif 000005
【図４】
2011198328.tif 000006
【図５】
2011198328.tif 000007
【図６】
2011198328.tif 000008
【図７】
2011198328.tif 000009
【図８】
2011198328.tif 000010
【図９】
2011198328.tif 000011
【図１０】
2011198328.tif 000012
【図１１】
2011198328.tif 000013